(57)【要約】      （修正有）【課題】ボールの回収効率を向上させることにより、使用者の腰や膝に負担がかからないボール回収具を提供する。【解決手段】ボール回収具は、収集具１０と弾性ネットと管体３０と規制板と少なくとも一つの弾性リング４０とを備え、収集具が収集開口部と直径が収集開口部の直径より小さいボール導入口と収集開口部とボール導入口との間に位置する収容空間とを含み、弾性ネットが収集具の収集開口部に設置され、管材が相対する固定端と開放端とを有し、固定端が収集具のボール導入口に接続され、管材に内部通路と少なくとも一つの側開口が形成され、内部通路が収集具の収容空間と連通し、また少なくとも一つの側開口が内部通路と連通し、規制板の一端が収集具のボール導入口に設置され、他端が管体から離れる方向に沿って収集具の収容空間に延在し、少なくとも一つの弾性リングが管体の少なくとも一つの側開口及び内部通路を横切るように管体に環装される。【選択図】図１
0003225100.tif 000002
【実用新案登録請求の範囲】
【請求項１】
ボール回収具であって、収集具と、弾性ネットと、管体と、規制板と、少なくとも一つの弾性リングとを備え、
前記収集具が、収集開口部と、直径が該収集開口部の直径より小さいボール導入口と、該収集開口部とボール導入口との間に位置する収容空間とを含み、
前記弾性ネットが、前記収集具の収集開口部に設置され、
前記管材が、相対する固定端と開放端とを有し、該固定端が、前記収集具のボール導入口に接続され、該管材に、内部通路と少なくとも一つの側開口が形成され、該内部通路が、前記収集具の収容空間と連通し、また該少なくとも一つの側開口が該内部通路と連通し、
前記規制板の一端が前記収集具のボール導入口に設置され、他端が前記管体から離れる方向に沿って該収集具の収容空間に延在し、
前記少なくとも一つの弾性リングが、前記管体の少なくとも一つの側開口及び内部通路を横切るように該管体に環装されることを特徴とするボール回収具。
【請求項２】
前記収集具が網状の収集カバーを呈することを特徴とする請求項１に記載のボール回収具。
【請求項３】
前記規制板が前記収集具に一体成型されることを特徴とする請求項１に記載のボール回収具。
【請求項４】
前記規制板が前記管体の固定端に一体成型されることを特徴とする請求項１に記載のボール回収具。
【請求項５】
前記管体が複数の管材を有し、該複数の管材が互いに接続され、且つ前記少なくとも一つの側開口の一つが前記収集具から最も離れている管材に形成されることを特徴とする請求項１に記載のボール回収具。
【請求項６】
前記管体が二つの管材を含み、該二つの管材が第１管材と第２管材であり、
前記第１管材が、相対する第１端と第２端とを有し、該第１管材の第１端が前記管体の固定端であり、且つ前記少なくとも一つの側開口が、該第１管材の第１端の側面に形成され、
前記第２管材が、連通するように着脱可能に該第１管材の第２端に接続され、前記管体の開放端が、該第２管材における該第１管材に接続される端部と相対する端部であることを特徴とする請求項１に記載のボール回収具。
【請求項７】
前記少なくとも一つの側開口が二つの側開口を有し、該二つの側開口がそれぞれ、第１側開口と第２側開口であり、
前記第１側開口が、前記第１管材の第１端の側面に形成され、
前記第２側開口が、前記第２管材における、該第１管材に接続される端部と相対する端部の側面に形成され、
前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする請求項６に記載のボール回収具。
【請求項８】
前記少なくとも一つの側開口が二つの側開口を有し、該二つの側開口がそれぞれ、第１側開口と第側開口であり、該第１側開口が、前記管体の固定端の側面に形成され、該第２側開口が、該管体の開放端の側面に形成され、
また、前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする請求項１に記載のボール回収具。
【請求項９】
前記収集具が、前記収集開口部とボール導入口と収容空間とが形成される収集カバーと、該収集カバーの収集開口部に設けられると共に、前記弾性網が固設される枠体と、を含むことを特徴とする請求項１から請求項８のいずれか１項に記載のボール回収具。
【請求項１０】
前記管体が可撓管材と直線管材を含み、該可撓管材の一端が前記収集具に連通し、他端が該直線管材に連通することを特徴とする請求項１から請求項８のいずれか１項に記載のボール回収具。
【考案の詳細な説明】
【技術分野】
【０００１】
本考案は、運動用具に関し、特にボールを回収するボール回収具に関するものである。
【背景技術】
【０００２】
多くの運動、特にボールを使う運動では、練習するために、大量のボールを使用する必要がある。例えば、卓球やゴルフの場合、選手が練習中に使うボールが練習場に飛散し、用意されたボールが足りなくなると、これら飛散しているボールを回収しなければ練習を再開することができない。また、ボールを拾い上げる時には、毎回腰を曲げる動作を伴い、余計に体力を消耗したり、腰や膝などに負担がかかったりするので、怪我に繋がる危険性があり、更に、ボールを回収するには、様々な設備を有するが、それらは皆、コストが高く、且つすべての地面の状況に適用できないとの問題があった。
【考案の概要】
【考案が解決しようとする課題】
【０００３】
本考案は、上記の課題に鑑みてなされたものであり、ボール回収の効率を向上させ、使用者の腰や膝に負担がかからないボール回収具を提供することを目的としている。
【課題を解決するための手段】
【０００４】
ボール回収具であって、収集具と、弾性ネットと、管体と、規制板と、少なくとも一つの弾性リングとを備え、前記収集具が、収集開口部と、直径が該収集開口部の直径より小さいボール導入口と、該収集開口部とボール導入口との間に位置する収容空間とを含み、前記弾性ネットが、前記収集具の収集開口部に設置され、前記管材が、相対する固定端と開放端とを有し、該固定端が、前記収集具のボール導入口に接続され、該管材に、内部通路と少なくとも一つの側開口が形成され、該内部通路が、前記収集具の収容空間と連通し、また該少なくとも一つの側開口が該内部通路と連通し、前記規制板の一端が前記収集具のボール導入口に設置され、他端が前記管体から離れる方向に沿って該収集具の収容空間に延在し、前記少なくとも一つの弾性リングが、前記管体の少なくとも一つの側開口及び内部通路を横切るように該管体に環装されることを特徴とする。
【０００５】
前記収集具が網状の収集カバーを呈することを特徴とする。
【０００６】
前記規制板が前記収集具に一体成型されることを特徴とする。
【０００７】
前記規制板が前記管体の固定端に一体成型されることを特徴とする。
【０００８】
前記管体が複数の管材を有し、該複数の管材が互いに接続され、且つ前記少なくとも一つの側開口の一つが前記収集具から最も離れている管材に形成されることを特徴とする。
【０００９】
前記管体が二つの管材を含み、該二つの管材が第１管材と第２管材であり、前記第１管材が、相対する第１端と第２端とを有し、該第１管材の第１端が前記管体の固定端であり、且つ前記少なくとも一つの側開口が、該第１管材の第１端に形成され、前記第２管材が、連通するように着脱可能に該第１管材の第２端に接続され、前記管体の開放端が、該第２管材における該第１管材に接続される端部と相対する端部であることを特徴とする。
【００１０】
前記少なくとも一つの側開口が二つの側開口を有し、該二つの側開口がそれぞれ、第１側開口と第２側開口であり、前記第１側開口が、前記第１管材の第１端の側面に形成され、前記第２側開口が、前記第２管材における、該第１管材に接続される端部と相対する端部の側面に形成され、前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする。
【００１１】
前記少なくとも一つの側開口が二つの側開口を有し、該二つの側開口がそれぞれ、第１側開口と第側開口であり、該第１側開口が、前記管体の固定端の側面に形成され、該第２側開口が、該管体の開放端の側面に形成され、また、前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする。
【００１２】
前記収集具が、前記収集開口部とボール導入口と収容空間とが形成される収集カバーと、該収集カバーの収集開口部に設けられると共に、前記弾性網が固設される枠体と、を含むことを特徴とする。
【００１３】
前記管体が可撓管材と直線管材を含み、該可撓管材の一端が前記収集具に連通し、他端が該直線管材に連通することを特徴とする。
【考案の効果】
【００１４】
上述した、本考案の技術特徴による利点は、回収する際に、ボールを、弾性ネットから収集具内に集中させることにより、使用者はボールを拾い上げる度に、腰を曲げずに済むので、余計な体力を消耗せず、また腰や膝などに負担もかけないので、怪我を防ぐことができ、さらに一度に複数のボールを回収できることから、回収時間を大幅に短縮でき、練習により多くの時間を費やすことができるので、技術の向上に繋がる。
【図面の簡単な説明】
【００１５】
【図１】本考案の第１実施例の斜視図である。
【図２】本考案の第１実施例の分解図である。
【図３】本考案の第２実施例の斜視図である。
【図３Ａ】本考案の第２実施例における収集具の分解図である。
【図３Ｂ】本考案の第２実施例における収集具の他の態様を示す側面図である。
【図３Ｃ】本考案の第２実施例における収集具の更に他の態様を示す側面図である。
【図４】本考案の第２実施例における収集具の斜視図である。
【図５】本考案の第２実施例における管体の開放端の斜視図である。
【図６】本考案の第１管材と第２管材との接続状態を示す側面視断面図である。
【図７】本考案の収集具を上下反転させた状態を示す側面視断面図である。
【図８】本考案の他の実施例における収集具を上下反転させた状態での収集具と規制板との関係を示す側面視断面図である。
【図９】本考案の他の実施例における網状を呈する収集カバーの斜視図である。
【図１０】本考案の第３実施例における管体が真っ直ぐな状態である場合を示す斜視図である。
【図１１】本考案の第３実施例における管体が湾曲状態である場合を示す斜視図である。
【考案を実施するための形態】
【００１６】
図１及び図２に示すように、本考案は、ボール回収具であって、第１実施例において、収集具１０と、弾性ネット２０と、管体３０と、弾性リング４０と、規制板５０とを備える。
【００１７】
前記収集具１０は、収集カバー１１を含み、該収集カバー１１の外形は、半球状、漏斗状、或いは鐘状であってもよく、該収集具１０の収集カバー１１には、収集開口部１１１とボール導入口１１２と収容空間とが形成され、該収集開口部１１１とボール導入口１１２はそれぞれ、該収集具１０の両端に位置すると共に、該収容空間は、該収集開口部１１１とボール導入口１１２との間に位置する。即ち、該収集具１０の壁面及び収容空間は、該収集開口部１１１からボール導入口１１２へ向かってテーパ状を呈している。尚、前記収集開口部１１１の直径は、該ボール導入口１１２の直径より大きく、前記弾性ネット２０は、該収集カバー１１の収集開口部１１１に固設され、また該弾性ネット２０の網目の幅は、ボールの直径より小さい。
【００１８】
第１実施例において、該収集具１０は、枠体１２を有してもよく、該枠体１２は、前記収集カバー１１の収集開口部１１１の周縁に着脱可能に設置され、前記弾性ネット２０は、該枠体１２に固設される。つまり、本実施において、該弾性ネット２０と枠体１２との構造は、バトミントン或いはテニスのラケットのようなものであってもよいが、これらに限定されるものではない。
【００１９】
前記管体３０は、相対する固定端と開放端とを有し、該管体３０の固定端は、着脱可能に前記収集カバー１１のボール導入口１１２に接続され、また、該管体３０には内部通路が形成され、該管体３０が該収集カバー１１に接続されると、該管体３０の内部通路が該収集カバー１１の収容空間と連通する。
【００２０】
前記管体３０は、複数の管材３００を含んでもよく、第１実施例においては、該管体３０が三つの管材３００を含み、該各管材３００の両端はいずれも開口端である大径部と小径部であり、これらのいずれか一つの管材３００の小径部が、他方の管材３００の大径部にピッタリと嵌装されることで、二つの該管材３００が互いに接続するように固定される。また、これらのいずれか一つの管材３００の小径部は、前記ボール導入口１１２にピッタリと嵌装されることで、該管材３００が前記収集具１０と接続するように固定され、該管材３００上には、該管体３０の内部通路と連通する側開口が形成される。但し、前記複数の管材３００が接続されている場合、接続箇所で、該管材３００上の側開口が、他方の管材３００の小径部によって裏側から封止され、これにより、該側開口が該管体３０の内部通路と連通できなくなる。つまり、該複数の管材３００が接続されている場合、他方の管材３００と接続していない側の管材３００の側開口のみが、該管体３０の内部通路と連通しており、該管体３０の内径は、ボールの直径より大きいので、ボールは該管体３０を通過することができる。
【００２１】
前記複数の管材３００が接続され、且つその内の一つの管材３００が前記収集具１０に接続されると、該複数の管材３００の内部通路がそれぞれ、連通すると共に、該収集具１０の収容空間にも連通することで、ボール回収具となる。これによれば、使用者は、自分の体型や使用環境に合わせて、該管材３００の接続個数を調整することができるが、上述した実施例に限定されるものではない。
【００２２】
前記弾性リング４０は、前記管体３０における、収集具１０に最も遠い管材３００の側開口に、該管体３０の内部通路を横切るように環装される。具体的には、前記弾性リング４０における側開口を横切っている部分から、該管体３０の内壁面までの最大距離が、回収対象とされるボールの直径より小さいので、本考案のボール回収具を上下反転させると、該収集具１０内のボールは、該管体３０に転がり込んだ後、該弾性リング４０によって内部通路の通過を妨げるため、抜け落ちることがない。
【００２３】
第１実施例において、前記規制板５０は、前記収集カバー１１におけるボール導入口１１２の横に設置され、該規制板５０により、前記収集具１０の収容空間における、ボール導入口１１２に隣接する空間を規制するため、一度に一つのボールしか該ボール導入口１１２に入り込むことができないので、球詰まりの発生を防止できる。
【００２４】
ボールは、前記収集具１０を覆い被せることによって回収するが、もしボールが壁の角や、狭い空間或いは奥の深いところにある場合、前記管体３０を利用してボールを回収することもできる。例えば、前記管体３０の開放端を、上述した場所に差し込んで、ボールを嵌め入れれば、ボールが前記弾性リング４０を通り抜けて、該管体３０内に入り込み、回収できる。
【００２５】
本考案のボール回収具は、ボールを回収する器材に加え、子供の遊び道具ともなる。
【００２６】
ゴルフプレーヤが、ボールを回収する際に、クラブを前記管体３０内に収納して、一緒に持ち歩くことができる。
【００２７】
本考案のボール回収具は、余計な把持や支持を使わずに、前記収集具１０により、自力で地面に立たせることができる。
【００２８】
ボールを回収する際に、使用者は、前記管体３０を把持して、前記収集具１０の収集開口部１１１を下向きにボールの上方から覆い被せると、前記弾性ネット２０における各ひもが、撓って変形し、ボールが該弾性ネット２０の網目を広げてその隙間から該収集具１０の収容空間に進入する。逆に、前記収集具１０の収容空間に進入したボールは、外力を受けていない限り、該網目を広げることができないので、該収集具１０から抜け落ちることもない。更に、前記収集開口部１１１の直径は大きく設定されていることから、運動場における一部の範囲に複数のボールが集まっている場合、該収集具１０は、一度に複数のボールに覆い被せて回収することができるので、使用者は、該収集具１０をボールに覆い被せる動作を複数回繰り返せば、該収集具１０内に複数のボールを収納できる。回収作業が完了した後は、該ボール回収具を上下反転させ、該管体３０の端部を、バケットに向けて、前記弾性リング４０を前記側開口から離脱させると、ボールが該管体３０を通り抜けてバケット内に入る。
【００２９】
図３、図３Ａ及び図４に示すように、本考案の第２実施例における技術特徴は、前述第１実施例と同様であり、相違点としては、前記収集カバー１１Ａが漏斗状であることである。但し、第１実施例と同様に前記枠体１２Ａと弾性ネット２０Ａとを依然として含んでおり、且つ該弾性ネット２０Ａは該枠体１２Ａに固設され、該枠体１２Ａは、着脱可能に該収集カバー１１Ａの収集開口部１１１Ａに設置される。
【００３０】
さらに、図３Ｂに示すように、収集具１０Ａ’の他の態様において、収集カバー１１Ａ’には、前記枠体の代わりに複数の受容溝１３Ａ’が形成されており、該受容溝１３Ａ’は、収集開口部１１１Ａ’の周縁において該収集開口部１１１Ａ’からボール導入口１１２Ａ’に向かって延伸するように形成される。具体的には、前記各受容溝１３Ａ’は、案内溝１３１Ａ’と保持孔１３２Ａ’とを含み、該案内溝１３１Ａ’は、該収集開口部１１１Ａ’の周縁に外部と連通するように形成され、該保持孔１３２Ａ’は、該収集開口部１１１Ａ’における、該案内溝１３１Ａ’と相対する一端に形成されると共に、該保持孔１３２Ａ’と案内溝１３１Ａ’とは連通しており、また該保持孔１３２Ａ’の幅は、該案内溝１３１Ａ’の幅より大きい。尚、前記収集具１０Ａ’の第２実施例において、前記弾性ネットは、該案内溝１３１Ａ’を通って、該保持孔１３２Ａ’に進入し、さらに該保持孔１３２Ａ’内に貫通するように固定される。
【００３１】
さらに、図３Ｃに示すように、収集具１０Ａ”の更に他の態様においては、収集カバー１１Ａ”に、前記枠体や受容溝の代わりに複数の通し穴１３Ａ”が形成されており、該通し穴１３Ａ”は、収集開口部１１１Ａ”に隣接する箇所に位置し、前記弾性ネットは、該通し穴１３Ａ”に貫通するように設置される。
【００３２】
図３、図４、及び図５に示すように、管体３０Ａにおける複数の管材は、第１管材３１Ａ及び第２管材３２Ａとしてもよく、且つ該ボール回収具は、二つの弾性リングを含み、該二つの弾性リングは、第１弾性リング４１Ａ及び第２弾性リング４２Ａとする。該第１管材３１Ａは、相対する第１端と第２端とを有すると共に、第１側開口３０１Ａが形成され、該第１管材３１Ａの第１端は、該管体３０Ａの固定端でありながら、収集具１０Ａに設置され、該第１側開口３０１Ａは、該第１管材３１Ａの第１端の側面に形成され、該第１弾性リング４１Ａは、該第１側開口３０１Ａ及び内部通路を横切るように該第１管材３１Ａに環装され、また該第１弾性リング４１Ａにおける該第１側開口３０１Ａを横切っている部分から該第１管材３１Ａの内壁面までの最大距離が、回収対象とされるボールの直径より小さいので、本考案のボール回収具を上下反転させると、、該第１弾性リング４１Ａは、ボールが該収集具１０Ａの収容空間から該管体３０Ａ内に勝手に転がり込むのを防ぐことができる。
【００３３】
前記第１管材３１Ａには、第１把持部３１０Ａが形成され、該第１把持部３１０Ａは、該第１管材３１Ａの第二端に隣接し、前記第２管材３２Ａは、前記管体３０Ａの第２端に着脱可能に設置されることにより、該第１管材３１Ａと第２管材３２Ａとは連通するようになる。前記管体３０Ａの開放端は、該第２管材３２Ａにおける第１管材３１Ａから離れた一端であることから、第２側開口３０２Ａは、該第２管材３２Ａに形成され、且つ該第２側開口３０２Ａは、該第２管材３２Ａにおける第１管材３１Ａから離れた一方の端部の側面に位置する。また、前記第２管材３２Ａに第２把持部３２０Ａが形成され、該第２把持部３２０Ａは、第１管材３１Ａに隣接しているので、第１管材３１Ａと第２管材３２Ａを分解したり組み立てしたりする時の利便性が向上する。前記第２弾性リング４２Ａは、前記第２側開口３０２Ａ及び内部通路を横切るように該第２管材３２Ａに環装され、該第２弾性リング４２Ａにおける、該第２側開口３０２Ａを横切っている部分から該第２管材３２Ａの内壁面までの最大距離が、回収対象とされるボールの直径より小さいので、該管体３０の内部通路に収納されるボールが、該管体３０Ａの開放端から勝手に抜け落ちることがない。
【００３４】
前記第１弾性リング４１Ａの一部が、前記第１側開口３０１Ａ内に位置する場合、ボールが前記管体３０Ａに進入することができなく、つまり、ボールが前記収集具１０Ａ内において制限されることから、全体的な安定性が高まる。更に、使用者が該第１弾性リング４１Ａに力を加え、該第１弾性リング４１Ａを、該第１側開口３０１Ａの周縁に沿って該第１側開口３０１Ａから離脱させると、ボールが該管体３０に進入することができるので、収納能力が向上する。その上、前記第２管材３２Ａを取り外すと、ボールを該第１管材３１Ａの第２端から取り除くことができ、又は上述と同様の方法で前記第２弾性リング４２Ａを前記第２側開口３０２Ａから離脱させると、ボールを該管体３０Ａの開放端から取り除くができるので、回収されていたボールを再び使用することができる。
【００３５】
図６に示す実施例では、把持部、つまり前記第１把持部３１０Ａ及び第２把持部３２０Ａを介して、使用者が、本考案のボール回収具をより安定して把持でき、また、前記第１管材３１Ａと第２管材３２Ａとを分解させる利便性を向上させることもできるので、前記管体３０Ａ内のボールをより簡単に取り除く目的を達成できる。尚、該第１管材３１Ａと第２管材３２Ａが取り外し可能であるので、管体３０Ａを使用しない時には分解収納することができるので、収納空間を節約できる。
【００３６】
他の実施例においては、側開口及び弾性リングがそれぞれ一つであってもよく、例えば、前記管体３０Ａの固定端に位置する第１側開口３０１Ａ及び第１弾性リング４１Ａだけを有してもよく、又は、該管体３０Ａの開放端に位置する第２側開口３０２Ａ及び第２弾性リング４２Ａだけを有してもよい。
【００３７】
図７に示すように、前記規制板５０Ａは、一端が前記収集カバー１１Ａにおけるボール導入口１１２Ａの隣に設置されると共に、該収集カバー１１Ａの収容空間に位置する。尚、本実施例においては、該規制板５０Ａが、前記第１管材３１Ａに連結するように一体成型されるので、該第１管材３１Ａと一緒に着脱可能に該収集カバー１１Ａのボール導入口１１２Ａに設置される。
【００３８】
さらに、図８に示すように、他の実施例においては、規制板５０Ｂが、収集具１０Ｂに一体成型され、つまり、該規制板５０Ｂは、収集カバー１１Ｂに一体成型されることから、第１管材３１Ｂの第１端と規制板５０Ｂとが別々に分かれた分離状態であってもよい。また、他の実施例においては、規制板と収集カバーがそれぞれの独立した単体でありながら、着脱可能に連結される。
【００３９】
図９に示すように、他の実施例においては、収集具１０Ｃが、網状の収集カバーであってもよく、また、収集カバー１１Ｃの壁面に複数の貫通孔１００Ｃ或いはメッシュが形成され、これらにより、使用者がボールを回収した後、該収集具１０Ｃと内部に収納されているボールとを一緒に洗浄することができる。
【００４０】
図１０及び図１１に示すように、本考案の第３実施例における技術特徴は、前述第１実施例と同様であり、その相違点は、本考案の第３実施例における管体３０Ｄが含む管材が、可撓管材３１Ｄと直線管材３２Ｄであることである。具体的には、前記可撓管材３１Ｄは、使用者の操作により、任意の角度に湾曲することができ、該可撓管材３１Ｄの一端は、前記収集具１０Ｄに接続され、他端は、直線管材３２Ｄに接続される。尚、第３実施例においては、該可撓管材３１Ｄと収集具１０Ｄとが接続される一端の側面に側開口が形成され、該直線管材３２Ｄにおける、収集具１０Ｄと相対する一端の側面に側開口が形成されるが、これに限定されるものではない。これにより、使用者は、該収集具１０Ｄをボールに覆い被せる時に、該収集具１０Ｄを地面に対して垂直方向に移動させる必要がなくなり、該管体３０Ｄを把持して、該収集具１０Ｄを下向きにボールの上方から覆い被せると、該管体３０Ｄにおける可撓管材３１Ｄが湾曲変形するので、該収集具１０Ｄの開口を地面に密着した状態に傾けることにより、ボールを回収する目的を達成できる。
【００４１】
上述したように、本考案のボール回収具は、様々な環境にあるボールを回収するために、複数の使い方が可能であり、さらに、他の機能も持っているので、本考案は付加価値が高い。
【００４２】
以上の説明は、本考案の好ましい実施形態に過ぎず、本考案に対して何ら限定を行うものではない。本考案について、比較的好ましい実施形態をもって上記のとおり開示したが、これは本考案を限定するものではなく、すべての当業者が、本考案の技術構想を逸脱しない範囲において、本考案の技術の本質に基づいて上記の実施形態に対して行ういかなる簡単な修正、変更及び修飾も、依然としてすべて本考案の技術構想の範囲内にある。
【符号の説明】
【００４３】
１０、１０Ａ、１０Ａ’、１０Ａ”、１０Ｂ、１０Ｃ、１０Ｄ  収集具
１００Ｃ  貫通孔
１１、１１Ａ、１１Ａ’、１１Ａ”、１１Ｂ、１１Ｃ  収集カバー
１１１、１１１Ａ、１１１Ａ’、１１１Ａ”  収集開口部
１１２、１１２Ａ、１１２Ａ’、１１２Ａ”  ボール導入口
１２、１２Ａ  枠体
１３Ａ’  受容溝
１３Ａ”  通し穴
１３１Ａ’  案内溝
１３２Ａ’  保持孔
２０、２０Ａ  弾性ネット
３０、３０Ａ、３０Ｄ  管体
３００  管材
３０１Ａ  第１側開口
３０２Ａ  第２側開口
３１Ａ、３１Ｂ  第１管材
３１Ｄ  可撓管材
３１０Ａ  第１把持部
３２Ａ  第２管材
３２Ｄ  直線管材
３２０Ａ  第２把持部
４０  弾性リング
４１Ａ  第１弾性リング
４２Ａ  第２弾性リング
５０、５０Ａ、５０Ｂ  規制板
【図１】
0003225100.tif 000003
【図２】
0003225100.tif 000004
【図３】
0003225100.tif 000005
【図３Ａ】
0003225100.tif 000006
【図３Ｂ】
0003225100.tif 000007
【図３Ｃ】
0003225100.tif 000008
【図４】
0003225100.tif 000009
【図５】
0003225100.tif 000010
【図６】
0003225100.tif 000011
【図７】
0003225100.tif 000012
【図８】
0003225100.tif 000013
【図９】
0003225100.tif 000014
【図１０】
0003225100.tif 000015
【図１１】
0003225100.tif 000016
【手続補正書】
【提出日】令和1年11月6日(2019.11.6)
【手続補正１】
【補正対象書類名】実用新案登録請求の範囲
【補正対象項目名】全文
【補正方法】変更
【補正の内容】
【実用新案登録請求の範囲】
【請求項１】
ボール回収具であって、収集具と、弾性ネットと、管体と、規制板と、少なくとも一つの弾性リングとを備え、
前記収集具が、収集開口部と、直径が該収集開口部の直径より小さいボール導入口と、該収集開口部とボール導入口との間に位置する収容空間とを含み、
前記弾性ネットが、前記収集具の収集開口部に設置され、
前記管材が、相対する固定端と開放端とを有し、該固定端が、前記収集具のボール導入口に接続され、該管材に、内部通路と少なくとも一つの側開口が形成され、該内部通路が、前記収集具の収容空間と連通し、また該少なくとも一つの側開口が該内部通路と連通し、
前記規制板の一端が前記収集具のボール導入口に設置され、他端が前記管体から離れる方向に沿って該収集具の収容空間に延在し、
前記少なくとも一つの弾性リングが、前記管体の少なくとも一つの側開口及び内部通路を横切るように該管体に環装されることを特徴とするボール回収具。
【請求項２】
前記収集具が網状の収集カバーを呈することを特徴とする請求項１に記載のボール回収具。
【請求項３】
前記規制板が前記収集具に一体成型されることを特徴とする請求項１に記載のボール回収具。
【請求項４】
前記規制板が前記管体の固定端に一体成型されることを特徴とする請求項１に記載のボール回収具。
【請求項５】
前記管体が複数の管材を有し、該複数の管材が互いに接続され、且つ前記少なくとも一つの側開口の一つが前記収集具から最も離れている管材に形成されることを特徴とする請求項１に記載のボール回収具。
【請求項６】
前記管体が二つの管材を含み、該二つの管材が第１管材と第２管材であり、
前記第１管材が、相対する第１端と第２端とを有し、該第１管材の第１端が前記管体の固定端であり、且つ前記少なくとも一つの側開口が、該第１管材の第１端の側面に形成され、
前記第２管材が、連通するように着脱可能に該第１管材の第２端に接続され、前記管体の開放端が、該第２管材における該第１管材に接続される端部と相対する端部であることを特徴とする請求項１に記載のボール回収具。
【請求項７】
前記少なくとも一つの側開口が二つの側開口を有し、該二つの側開口がそれぞれ、第１側開口と第２側開口であり、
前記第１側開口が、前記第１管材の第１端の側面に形成され、
前記第２側開口が、前記第２管材における、該第１管材に接続される端部と相対する端部の側面に形成され、
前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする請求項６に記載のボール回収具。
【請求項８】
前記少なくとも一つの側開口が二つの側開口を有し、該二つの側開口がそれぞれ、第１側開口と第２側開口であり、該第１側開口が、前記管体の固定端の側面に形成され、該第２側開口が、該管体の開放端の側面に形成され、
また、前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする請求項１に記載のボール回収具。
【請求項９】
前記収集具が、前記収集開口部とボール導入口と収容空間とが形成される収集カバーと、該収集カバーの収集開口部に設けられると共に、前記弾性網が固設される枠体と、を含むことを特徴とする請求項１から請求項８のいずれか１項に記載のボール回収具。
【請求項１０】
前記管体が可撓管材と直線管材を含み、該可撓管材の一端が前記収集具に連通し、他端が該直線管材に連通することを特徴とする請求項１から請求項８のいずれか１項に記載のボール回収具。
【手続補正書】
【提出日】令和1年12月9日(2019.12.9)
【手続補正１】
【補正対象書類名】実用新案登録請求の範囲
【補正対象項目名】全文
【補正方法】変更
【補正の内容】
【実用新案登録請求の範囲】
【請求項１】
ボール回収具であって、収集具と、弾性ネットと、管体と、規制板と、少なくとも一つの弾性リングとを備え、
前記収集具が、収集開口部と、直径が該収集開口部の直径より小さいボール導入口と、該収集開口部とボール導入口との間に位置する収容空間とを含み、
前記弾性ネットが、前記収集具の収集開口部に設置され、
前記管体が、相対する固定端と開放端とを有し、該固定端が、前記収集具のボール導入口に接続され、該管体に、内部通路と少なくとも一つの側開口が形成され、該内部通路が、前記収集具の収容空間と連通し、また該少なくとも一つの側開口が該内部通路と連通し、
前記規制板の一端が前記収集具のボール導入口に設置され、他端が前記管体から離れる方向に沿って該収集具の収容空間に延在し、
前記少なくとも一つの弾性リングが、前記管体の少なくとも一つの側開口及び内部通路を横切るように該管体に環装されることを特徴とするボール回収具。
【請求項２】
前記収集具が網状の収集カバーを呈することを特徴とする請求項１に記載のボール回収具。
【請求項３】
前記規制板が前記収集具に一体成型されることを特徴とする請求項１に記載のボール回収具。
【請求項４】
前記規制板が前記管体の固定端に一体成型されることを特徴とする請求項１に記載のボール回収具。
【請求項５】
前記管体が複数の管材を有し、該複数の管材が互いに接続され、且つ前記少なくとも一つの側開口の一つが前記収集具から最も離れている管材に形成されることを特徴とする請求項１に記載のボール回収具。
【請求項６】
前記管体が二つの管材を含み、該二つの管材が第１管材と第２管材であり、
前記第１管材が、相対する第１端と第２端とを有し、該第１管材の第１端が前記管体の固定端であり、且つ前記少なくとも一つの側開口が、該第１管材の第１端の側面に形成され、
前記第２管材が、連通するように着脱可能に該第１管材の第２端に接続され、前記管体の開放端が、該第２管材における該第１管材に接続される端部と相対する端部であることを特徴とする請求項１に記載のボール回収具。
【請求項７】
前記少なくとも一つの側開口が二つの側開口を有し、該二つの側開口がそれぞれ、第１側開口と第２側開口であり、
前記第１側開口が、前記第１管材の第１端の側面に形成され、
前記第２側開口が、前記第２管材における、該第１管材に接続される端部と相対する端部の側面に形成され、
前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする請求項６に記載のボール回収具。
【請求項８】
前記少なくとも一つの側開口が二つの側開口を有し、該二つの側開口がそれぞれ、第１側開口と第２側開口であり、該第１側開口が、前記管体の固定端の側面に形成され、該第２側開口が、該管体の開放端の側面に形成され、
また、前記少なくとも一つの弾性リングが二つの弾性リングを有し、該二つの弾性リングがそれぞれ、第１弾性リングと第２弾性リングであり、該第１弾性リングが前記第１側開口に環装され、該第２弾性リングが、前記第２側開口に環装されることを特徴とする請求項１に記載のボール回収具。
【請求項９】
前記収集具が、前記収集開口部とボール導入口と収容空間とが形成される収集カバーと、該収集カバーの収集開口部に設けられると共に、弾性網が固設される枠体と、を含むことを特徴とする請求項１から請求項８のいずれか１項に記載のボール回収具。
【請求項１０】
前記管体が可撓管材と直線管材を含み、該可撓管材の一端が前記収集具に連通し、他端が該直線管材に連通することを特徴とする請求項１から請求項８のいずれか１項に記載のボール回収具。